【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
テキストを含むコンテンツの一部を表示画面に表示する表示制御手段と、
前記テキストに対応する音声を、前記テキストの表記に沿って順次出力する音声出力手段と、
前記コンテンツのうち前記表示画面に表示させる部分を変更する操作を検出する検出手段と、
前記検出手段が、前記コンテンツのうち前記表示画面に表示させる部分を前記音声出力手段によって音声出力されているテキストを含む部分から、前記音声出力されているテキストを含まない他の部分に変更させる第１の操作を検出した場合、当該第１の操作を検出した後で検出される第２の操作が、前記コンテンツのうち前記表示画面に表示させる部分を、前記第１の操作によって移動されたのとは逆方向へ移動させる操作であるかを判定する判定手段とを備え、
前記判定手段が前記第２の操作が前記コンテンツのうち前記表示画面に表示させる部分を、前記第１の操作によって移動したのとは逆方向へ移動させる操作であると判定した場合、前記表示制御手段は、前記コンテンツのうち前記音声出力手段によって出力されている音声に対応するテキストを含む部分を前記表示画面に表示させる
ことを特徴とする情報処理装置。
【請求項２】
前記検出手段により検出される操作は、前記コンテンツに沿った４方向のうちいずれかの方向を、前記表示画面に表示させるために抽出する部分の位置を移動させる方向として示す操作であり、
前記判定手段は、前記第２の操作で示される移動方向が、前記第１の操作で示される移動方向に対して逆であるかどうかを判定する
ことを特徴とする請求項１に記載の情報処理装置。
【請求項３】
前記検出手段は、スクロール操作を検出することを特徴とする請求項１又は２に記載の情報処理装置。
【請求項４】
前記判定手段が前記第２の操作で示される移動方向が前記第１の操作で示される移動する方向と逆であると判定した場合、前記表示制御手段は前記音声出力手段で出力中の音声に対応するコンテンツの一部を前記表示画面に表示し、
前記判定手段が前記第２の操作で示される移動する方向が前記第１の操作で示される移動方向と逆ではないと判定した場合、前記表示制御手段は前記第２の操作に従って前記表示画面に表示させるために抽出する部分の位置を指示された方向に移動させる
ことを特徴とする請求項２又は３に記載の情報処理装置。
【請求項５】
前記検出手段は、前記第２の操作によって指示される加速度を更に検出し、
前記判定手段が前記第２の操作で示される移動方向が前記第１の操作で示される移動方向と逆であり、前記加速度が所定の閾値以上であると判定した場合、前記表示制御手段は、前記表示画面に前記音声出力手段が音声として出力中の音声に対応するテキストを含む部分を前記表示画面に表示させる
ことを特徴とする請求項２乃至４のいずれか１項に記載の情報処理装置。
【請求項６】
前記第１の操作は、前記第２の操作より前に検出した複数の操作を含む
ことを特徴とする請求項１乃至５のいずれか１項に記載の情報処理装置。
【請求項７】
前記検出手段が前記第１の操作を検出したことに応じて、前記表示制御手段は、前記表示画面に表示するために抽出される前記コンテンツの部分を、前記コンテンツの他の部分に変更し、
前記判定手段は、前記第１の操作に応じて前記変更が実行された後で前記検出手段が検出した操作を、前記第２の操作と認識して前記判定を行う
ことを特徴とする請求項１乃至６のいずれか１項に記載の情報処理装置。
【請求項８】
前記音声出力手段は、前記第１の操作に従って前記コンテンツのうち前記表示画面に表示される部分が変更された場合でも、前記テキストの表記に沿って音声の出力を継続する
ことを特徴とする請求項１乃至７のいずれか１項に記載の情報処理装置。
【請求項９】
前記音声出力手段は、前記第１の操作に従って前記コンテンツのうち前記表示画面に表示される部分が変更された場合でも、前記コンテンツに含まれるテキストの表記に沿って、前記第１の操作が検出される前に出力していた音声に対応するテキストに後続する前記音声の出力を継続する
ことを特徴とする請求項１乃至７のいずれか１項に記載の情報処理装置。
【請求項１０】
前記音声出力手段は、音声出力中のテキストを表す位置情報をメモリに保持し、
前記判定手段が前記第２の操作による位置の移動の方向が前記第１の操作による位置の移動の方向と逆であると判定した場合、前記表示制御手段は前記保持された位置情報に基づき、前記コンテンツの表示すき部分の位置を決定する
ことを特徴とする請求項１乃至９のいずれか１項に記載の情報処理装置。
【請求項１１】
前記判定手段が前記第２の操作で示される移動する方向が前記第１の移動する方向と逆であり、前記加速度が前記所定の閾値以上ではないと判定した場合であり、かつ、
前記音声出力手段が、前記第２の操作に従って位置を変更した後のテキストを含む部分を超えたテキストの音声を出力した場合、
前記検出手段は、前記第２の操作を第１の操作とみなし、後続する操作を新たな第２の操作として検出する
ことを特徴とする請求項５に記載の情報処理装置。
【請求項１２】
表示制御手段が、テキストを含むコンテンツの一部を表示画面に表示する表示制御工程と、
音声出力手段が、前記テキストに対応する音声を、前記テキストの表記に沿って順次出力する音声出力工程と、
検出手段が、前記コンテンツのうち前記表示画面に表示させる部分を変更する操作を検出する検出工程と、
前記検出工程が、前記コンテンツのうち前記表示画面に表示させる部分を前記音声出力工程によって音声出力されているテキストを含む部分から、前記音声出力されているテキストを含まない他の部分に変更させる第１の操作を検出した場合、判定手段が、当該第１の操作を検出した後で検出される第２の操作が、前記コンテンツのうち前記表示画面に表示させる部分を、前記第１の操作によって移動されたのとは逆方向へ移動させる操作であるかを判定する判定工程とを備え、
前記判定工程が前記第２の操作が前記コンテンツのうち前記表示画面に表示させる部分を、前記第１の操作によって移動したのとは逆方向へ移動させる操作であると判定した場合、前記表示制御工程は、前記コンテンツのうち前記音声出力工程によって出力されている音声に対応するテキストを含む部分を前記表示画面に表示させる
ことを特徴とする情報処理装置の制御方法。
【請求項１３】
前記検出工程により検出される操作は、前記コンテンツに沿った４方向のうちいずれかの方向を、前記表示画面に表示させるために抽出する部分の位置を移動させる方向として示す操作であり、
前記判定工程は、前記第２の操作で示される移動方向が、前記第１の操作で示される移動方向に対して逆であるかどうかを判定する
ことを特徴とする請求項１２に記載の情報処理装置の制御方法。
【請求項１４】
前記検出工程は、スクロール操作を検出することを特徴とする請求項１２又は１３に記載の情報処理装置の制御方法。
【請求項１５】
前記判定工程が前記第２の操作で示される移動方向が前記第１の操作で示される移動する方向と逆であると判定した場合、前記表示制御工程は前記音声出力工程で出力中の音声に対応するコンテンツの一部を前記表示画面に表示し、
前記判定工程が前記第２の操作で示される移動する方向が前記第１の操作で示される移動方向と逆ではないと判定した場合、前記表示制御工程は前記第２の操作に従って前記表示画面に表示させるために抽出する部分の位置を指示された方向に移動させる
ことを特徴とする請求項１３又は１４に記載の情報処理装置の制御方法。
【請求項１６】
前記検出工程は、前記第２の操作によって指示される加速度を更に検出し、
前記判定工程が前記第２の操作で示される移動方向が前記第１の操作で示される移動方向と逆であり、前記加速度が所定の閾値以上であると判定した場合、前記表示制御工程は、前記表示画面に前記音声出力工程が音声として出力中の音声に対応するテキストを含む部分を前記表示画面に表示させる
ことを特徴とする請求項１３乃至１５のいずれか１項に記載の情報処理装置の制御方法。
【請求項１７】
前記第１の操作は、前記第２の操作より前に検出した複数の操作を含む
ことを特徴とする請求項１２乃至１６のいずれか１項に記載の情報処理装置の制御方法。
【請求項１８】
前記検出工程が前記第１の操作を検出したことに応じて、前記表示制御工程は、前記表示画面に表示するために抽出される前記コンテンツの部分を、前記コンテンツの他の部分に変更し、
前記判定工程は、前記第１の操作に応じて前記変更が実行された後で前記検出工程が検出した操作を、前記第２の操作と認識して前記判定を行う
ことを特徴とする請求項１２乃至１７のいずれか１項に記載の情報処理装置の制御方法。
【請求項１９】
前記音声出力工程は、前記第１の操作に従って前記コンテンツのうち前記表示画面に表示される部分が変更された場合でも、前記テキストの表記に沿って音声の出力を継続する
ことを特徴とする請求項１２乃至１８のいずれか１項に記載の情報処理装置の制御方法。
【請求項２０】
前記音声出力工程は、前記第１の操作に従って前記コンテンツのうち前記表示画面に表示される部分が変更された場合でも、前記コンテンツに含まれるテキストの表記に沿って、前記第１の操作が検出される前に出力していた音声に対応するテキストに後続する前記音声の出力を継続する
ことを特徴とする請求項１２乃至１８のいずれか１項に記載の情報処理装置の制御方法。
【請求項２１】
前記音声出力工程は、音声出力中のテキストを表す位置情報をメモリに保持し、
前記判定工程が前記第２の操作による位置の移動の方向が前記第１の操作による位置の移動の方向と逆であると判定した場合、前記表示制御工程は前記保持された位置情報に基づき、前記コンテンツの表示すき部分の位置を決定する
ことを特徴とする請求項１２乃至２０のいずれか１項に記載の情報処理装置の制御方法。
【請求項２２】
前記判定工程が前記第２の操作で示される移動する方向が前記第１の移動する方向と逆であり、前記加速度が前記所定の閾値以上ではないと判定した場合であり、かつ、
前記音声出力工程が、前記第２の操作に従って位置を変更した後のテキストを含む部分を超えたテキストの音声を出力した場合、
前記検出工程は、前記第２の操作を第１の操作とみなし、後続する操作を新たな第２の操作として検出する 
ことを特徴とする請求項１６に記載の情報処理装置の制御方法。
【請求項２３】
コンピュータに読み込ませ実行させることで、前記コンピュータに、請求項１２乃至２２のいずれか１項に記載の方法が有する各工程を実行させるためのプログラム。
【請求項２４】
請求項２３に記載のプログラムを格納したことを特徴とするコンピュータが読み取り可能な記憶媒体。
【手続補正２】
【補正対象書類名】明細書
【補正対象項目名】０００６
【補正方法】変更
【補正の内容】
【０００６】
この課題を解決するため、例えば本発明の情報処理装置は以下の構成を備える。すなわち、
テキストを含むコンテンツの一部を表示画面に表示する表示制御手段と、
前記テキストに対応する音声を、前記テキストの表記に沿って順次出力する音声出力手段と、
前記コンテンツのうち前記表示画面に表示させる部分を変更する操作を検出する検出手段と、
前記検出手段が、前記コンテンツのうち前記表示画面に表示させる部分を前記音声出力手段によって音声出力されているテキストを含む部分から、前記音声出力されているテキストを含まない他の部分に変更させる第１の操作を検出した場合、当該第１の操作を検出した後で検出される第２の操作が、前記コンテンツのうち前記表示画面に表示させる部分を、前記第１の操作によって移動されたのとは逆方向へ移動させる操作であるかを判定する判定手段とを備え、
前記判定手段が前記第２の操作が前記コンテンツのうち前記表示画面に表示させる部分を、前記第１の操作によって移動したのとは逆方向へ移動させる操作であると判定した場合、前記表示制御手段は、前記コンテンツのうち前記音声出力手段によって出力されている音声に対応するテキストを含む部分を前記表示画面に表示させることを特徴とする。